(57)【要約】【課題】使用者による撮影を補助する情報を必要なときに表示する撮像装置を提供することを目的とする。【解決手段】本発明にかかる撮像装置は、光学系と、光学系により形成された被写体像を撮像する撮像素子と、撮像素子上に結像された被写体像のぶれを軽減する補正手段と、補正手段による被写体像のぶれを軽減可能な度合いを検出する軽減度合検出手段と、軽減度合検出手段による検出結果に基づいて閾値を決定する決定手段と、自機のぶれの速度を検出する速度検出手段と、速度検出手段による検出結果と決定手段により決定された閾値とを比較する比較手段と、表示手段と、を備え、表示手段は、比較手段による比較結果に応じて、自機の操作方法に関する警告表示を行うか否かを切り替える。【選択図】図１
2010287926.tif 000002
【特許請求の範囲】
【請求項１】
光学系と、
前記光学系により形成された被写体像を撮像する撮像素子と、
前記撮像素子上に結像された被写体像のぶれを軽減する補正手段と、
前記補正手段による被写体像のぶれを軽減可能な度合いを検出する軽減度合検出手段と、
前記軽減度合検出手段による検出結果に基づいて閾値を決定する決定手段と、
自機のぶれの速度を検出する速度検出手段と、
前記速度検出手段による検出結果と前記決定手段により決定された閾値とを比較する比較手段と、
表示手段と、を備え、
前記表示手段は、前記比較手段による比較結果に応じて、自機の操作方法に関する警告表示を行うか否かを切り替える、
撮像装置。
【請求項２】
前記表示手段は、
前記比較手段が、
前記速度検出手段により検出された速度が、前記決定手段により決定された閾値よりも大きい値を最小値として含む範囲に含まれると判断した場合に前記自機の操作方法に関する警告表示を行い、
前記速度検出手段により検出された速度が、前記決定手段により決定された閾値よりも小さい値を最大値として含む範囲に含まれると判断した場合に前記自機の操作方法に関する警告表示を行わない、
請求項１に記載の撮像装置。
【請求項３】
前記表示手段は、
前記比較手段が、
前記速度検出手段により検出された速度が前記決定手段により決定された閾値よりも大きいと判断した場合に、前記自機の操作方法に関する警告表示を行い、
前記速度検出手段により検出された速度が前記決定手段により決定された閾値よりも小さいと判断した場合に、前記自機の操作方法に関する警告表示を行わない、
請求項１に記載の撮像装置。
【請求項４】
前記表示手段による自機の操作方法に関する警告表示が消された後に経過した時間を計測する計測手段をさらに備え、
前記表示手段は、前記比較手段による比較結果に関わらず、前記計測手段により所定の時間が経過したことが計測されるまで、前記自機の操作方法に関する警告表示を行わない、
請求項１〜３に記載の撮像装置。
【発明の詳細な説明】
【技術分野】
【０００１】
本発明は撮像装置に関し、特に、手ぶれ補正機能を有する撮像装置に関する。
【背景技術】
【０００２】
特許文献１は、カメラ電源とは別に新たにぶれ検出センサ用の電源を有する。従って、カメラ電源の電圧が変動した場合においても、ぶれ検出センサに対して安定した電圧で電力供給を行うことが可能となり、正確なぶれ検出を行える。
【０００３】
これにより、このカメラは、手ぶれ警告やぶれ量表示を行うことができ、また正確なぶれ補正によって手ぶれのない鮮明な撮影像を得ることができる。
【先行技術文献】
【特許文献】
【０００４】
【特許文献１】特開平４−１８１９２９号公報
【発明の概要】
【発明が解決しようとする課題】
【０００５】
しかしながら、上記特許文献１は、手ぶれ警告の表示を行うか否かの決定手法について開示していない。手ぶれ警告の表示が頻繁に出すぎても不便であるし、手ぶれ警告の表示が出なすぎても不便である。
【０００６】
本発明は、使用者による撮影を補助する情報を必要なときに表示する撮像装置を提供することを目的とする。
【課題を解決するための手段】
【０００７】
上記課題を解決するために、本発明にかかる撮像装置は、光学系と、光学系により形成された被写体像を撮像する撮像素子と、撮像素子上に結像された被写体像のぶれを軽減する補正手段と、補正手段による被写体像のぶれを軽減可能な度合いを検出する軽減度合検出手段と、軽減度合検出手段による検出結果に基づいて閾値を決定する決定手段と、自機のぶれの速度を検出する速度検出手段と、速度検出手段による検出結果と決定手段により決定された閾値とを比較する比較手段と、表示手段と、を備え、表示手段は、比較手段による比較結果に応じて、自機の操作方法に関する警告表示を行うか否かを切り替える。
【０００８】
また、本発明にかかる撮像装置において、表示手段は、比較手段が、速度検出手段により検出された速度が、決定手段により決定された閾値よりも大きい値を最小値として含む範囲に含まれると判断した場合に前記自機の操作方法に関する警告表示を行い、速度検出手段により検出された速度が、決定手段により決定された閾値よりも小さい値を最大値として含む範囲に含まれると判断した場合に自機の操作方法に関する警告表示を行わないようにしてもよい。
【０００９】
また、本発明にかかる撮像装置において、表示手段は、比較手段が、速度検出手段により検出された速度が決定手段により決定された閾値よりも大きいと判断した場合に、自機の操作方法に関する警告表示を行い、速度検出手段により検出された速度が決定手段により決定された閾値よりも小さいと判断した場合に、自機の操作方法に関する警告表示を行わないようにしてもよい。
【００１０】
また、本発明にかかる撮像装置は、表示手段による自機の操作方法に関する警告表示が消された後に経過した時間を計測する計測手段をさらに備え、表示手段は、比較手段による比較結果に関わらず、計測手段により所定の時間が経過したことが計測されるまで、自機の操作方法に関する警告表示を行わないようにしてもよい。
【発明の効果】
【００１１】
本発明によれば、使用者による撮影を補助する情報を必要なときに表示する撮像装置を提供することができる。
【図面の簡単な説明】
【００１２】
【図１】デジタルカメラ１００の構成を示すブロック図
【図２】ＯＩＳ１４０を説明するための模式図
【図３】補正角を説明するための模式図
【図４】焦点距離と最大補正角との関係を説明するための模式図
【図５】撮影アシストを説明するためのフローチャート
【図６】それぞれの最大補正角における閾値と連続ぶれ時間との関係を示す図
【図７】撮影アシスト情報を示す模式図
【発明を実施するための形態】
【００１３】
〔１．実施の形態１〕
以下、本発明をデジタルビデオカメラに適用した場合の実施の形態１について図面を参照しながら説明する。
【００１４】
〔１−１．概要〕
本実施の形態にかかるデジタルカメラ１００は、動画像を撮影できる。デジタルカメラ１００は、動画像を撮影する際に、撮影アシスト情報を液晶モニタ２７０に表示する。ここで、撮影アシスト情報とは、撮影方法に関するアドバイスを示す情報である。デジタルカメラ１００は、撮影アシスト情報を液晶モニタ２７０に表示することにより、使用者による撮影の補助をする。例えば、デジタルカメラ１００は、使用者により左右に高速に振られたような場合に、パン操作が早すぎる旨の警告表示を行う。
【００１５】
本実施の形態にかかるデジタルカメラ１００は、撮影アシスト情報を必要なときにだけ表示する。
【００１６】
〔１−２．構成〕
〔１−２−１．電気的構成〕
本実施の形態にかかるデジタルビデオカメラ１００の電気的構成について、図１を用いて説明する。図１は、デジタルビデオカメラ１００の構成を示すブロック図である。デジタルビデオカメラ１００は、ズームレンズ１１０等からなる光学系により形成された被写体像をＣＣＤイメージセンサー１８０で撮像する。ＣＣＤイメージセンサー１８０で生成された画像データは、画像処理部１９０で各種処理が施され、メモリカード２４０に格納される。また、メモリカード２４０に格納された画像データは、液晶モニタ２７０で表示可能である。以下、デジタルビデオカメラ１００の構成を詳細に説明する。
【００１７】
デジタルビデオカメラ１００の光学系は、ズームレンズ１１０、ＯＩＳ１４０、フォーカスレンズ１７０を含む。ズームレンズ１１０は、光学系の光軸に沿って移動することにより、被写体像を拡大又は縮小可能である。また、フォーカスレンズ１７０は、光学系の光軸に沿って移動することにより、被写体像のピントを調整する。
【００１８】
ＯＩＳ１４０について図２を用いて説明する。図２は、ＯＩＳ１４０を説明するための模式図である。図２に示すように、ＯＩＳ１４０は、内部に光軸に垂直な面内で移動可能な補正レンズを有する。ＯＩＳ１４０は、デジタルビデオカメラ１００の振れを相殺する方向に補正レンズを駆動することにより、被写体像の振れを低減する。図２（Ｂ）に示すように、ＯＩＳ１４０内において、補正レンズは、最大Ｌだけ中心から移動することができる。
【００１９】
ズームモータ１３０は、ズームレンズ１１０を駆動する。ズームモータ１３０は、パルスモータやＤＣモータ、リニアモータ、サーボモータなどで実現してもよい。ズームモータ１３０は、カム機構やボールネジなどの機構を介してズームレンズ１１０を駆動するようにしてもよい。検出器１２０は、ズームレンズ１１０が光軸上でどの位置に存在するのかを検出する。検出器１２０は、ズームレンズ１１０の光軸方向への移動に応じて、ブラシ等のスイッチによりズームレンズの位置に関する信号を出力する。
【００２０】
ＯＩＳアクチュエータ１５０は、ＯＩＳ１４０内の補正レンズを光軸と垂直な面内で駆動する。ＯＩＳアクチュエータ１５０は、平面コイルや超音波モータなどで実現できる。また、検出器１６０は、ＯＩＳ１４０内における補正レンズの移動量を検出する。ここで、補正レンズの移動量とは、ＯＩＳ１４０の中心からのズレ量の絶対値である。例えば、図２（Ｂ）においては、Ｌが補正レンズの移動量となる。
【００２１】
ＣＣＤイメージセンサー１８０は、ズームレンズ１１０等からなる光学系で形成された被写体像を撮像して、画像データを生成する。ＣＣＤイメージセンサー１８０は、露光、転送、電子シャッタなどの各種動作を行う。
【００２２】
画像処理部１９０は、ＣＣＤイメージセンサー１８０で生成された画像データに対して各種の処理を施す。画像処理部１９０は、ＣＣＤイメージセンサー１８０で生成された画像データに対して処理を施し、液晶モニタ２７０に表示するための画像データを生成したり、メモリカード２４０に再格納するための画像データを生成したりする。例えば、画像処理部１９０は、ＣＣＤイメージセンサー１８０で生成された画像データに対してガンマ補正やホワイトバランス補正、傷補正などの各種処理を行う。また、画像処理部１９０は、ＣＣＤイメージセンサー１８０で生成された画像データに対して、ＪＰＥＧ規格に準拠した圧縮形式等により画像データを圧縮する。画像処理部１９０は、ＤＳＰやマイコンなどで実現可能である。
【００２３】
コントローラー２１０は、全体を制御する制御手段である。コントローラー２１０は、半導体素子などで実現可能である。コントローラー２１０は、ハードウェアのみで構成してもよいし、ハードウェアとソフトウェアとを組み合わせることにより実現してもよい。コントローラー２１０は、マイコンなどで実現できる。
【００２４】
メモリ２００は、画像処理部１９０及びコントローラー２１０のワークメモリとして機能する。メモリ２００は、例えば、ＤＲＡＭ、強誘電体メモリなどで実現できる。
【００２５】
液晶モニタ２７０は、ＣＣＤイメージセンサー１８０で生成した画像データが示す画像や、メモリカード２４０から読み出した画像データが示す画像を表示可能である。
【００２６】
ジャイロセンサー２２０は、圧電素子等の振動材等で構成される。ジャイロセンサー２２０は、圧電素子等の振動材を一定周波数で振動させコリオリ力による力を電圧に変換して角速度情報を得る。ジャイロセンサー２２０から角速度情報を得、この揺れを相殺する方向にＯＩＳ内の補正レンズを駆動させることにより、使用者によりデジタルビデオカメラ１００に与えられる手振れは補正される。
【００２７】
カードスロット２３０は、メモリカード２４０を着脱可能である。カードスロット２３０は、機械的及び電気的にメモリカード２４０と接続可能である。メモリカード２４０は、フラッシュメモリや強誘電体メモリなどを内部に含み、データを格納可能である。
【００２８】
内部メモリ２８０は、フラッシュメモリや強誘電低メモリなどで構成される。内部メモリ２８０は、デジタルビデオカメラ１００全体を制御するための制御プログラム等を格納する。
【００２９】
操作部材２５０は、使用者から画像の撮像指示を受け付ける部材である。ズームレバー２６０は、使用者からズーム倍率の変更指示を受け付ける部材である。
【００３０】
〔１−２−２．本発明との対応〕
ズームレンズ１１０、ＯＩＳ１４０及びフォーカスレンズ１７０からなる構成は、本発明の光学系の一例である。ＣＣＤイメージセンサー１８０は、本発明の撮像素子の一例である。ＯＩＳ１４０、ＯＩＳアクチュエータ１５０及びコントローラー２１０からなる構成は、本発明の補正手段の一例である。検出器１２０とコントローラー２１０とからなる構成は、本発明の軽減度合検出手段の一例である。コントローラー２１０は、本発明の決定手段の一例である。ジャイロセンサー２２０とコントローラー２１０とからなる構成は、本発明の速度検出手段の一例である。コントローラー２１０は、本発明の比較手段の一例である。液晶モニタ２７０は、本発明の表示手段の一例である。コントローラー２１０は、本発明の計測手段の一例である。
【００３１】
〔１−３．補正角及び最大補正角〕
本実施の形態にかかるデジタルカメラ１００においては、撮影アシスト情報を表示しすぎないようにするために、最大補正角に関する情報を用いる。そこで、補正角及び最大補正角について図３及び図４を用いて説明する。図３は、補正角を説明するための模式図である。図４は、焦点距離と最大補正角との関係を説明するための模式図である。
【００３２】
図３（Ａ）において、デジタルカメラ１００は、使用者による手ぶれのない状態で、被写体を捉えている。この状態において、補正レンズは、ＯＩＳ１４０の中心に位置している。この状態から使用者による手ぶれが発生すると、デジタルカメラ１００は、図３（Ｂ）や図３（Ｃ）のような状態となる。
【００３３】
図３（Ｂ）は、使用者の手ぶれによりデジタルカメラ１００が上方向にぶれている様子を示している。この状態において、補正レンズは、ＯＩＳ１４０の下方向に位置している。デジタルカメラ１００が上方向にぶれた際に、補正レンズをＯＩＳ１４０の下方向に移動させることにより、図３（Ａ）においてＣＣＤイメージセンサー１８０の中心に結像していた点Ｘは、図３（Ｂ）においてもＣＣＤイメージセンサー１８０の中心に結像することとなる。
【００３４】
また、図３（Ｃ）は、使用者の手ぶれによりデジタルカメラ１００が下方向にぶれている様子を示している。この状態において、補正レンズは、ＯＩＳ１４０の上方向に位置している。デジタルカメラ１００が下方向にぶれた際に、補正レンズをＯＩＳ１４０の上方向に移動させることにより、図３（Ａ）においてＣＣＤイメージセンサー１８０の中心に結像していた点Ｘは、図３（Ｃ）においてもＣＣＤイメージセンサー１８０の中心に結像することとなる。
【００３５】
このように、補正レンズを手ぶれの影響を相殺する方向に駆動することにより、デジタルカメラ１００は、ＣＣＤイメージセンサー１８０上に結像される像のぶれを低減できる。ここで、補正角とは、図３に示すように、デジタルカメラ１００が使用者による手ぶれを受けた場合に、ＯＩＳ１４０の駆動により解消したぶれの角度のことをいう。また、最大補正角とは、補正レンズをＯＩＳ１４０内において最大限移動することにより、補正できる手ぶれの角度のことをいう。図２（Ｂ）に示すように、本実施の形態にかかるデジタルカメラ１００において、補正レンズは、ＯＩＳ１４０内において、半径Ｌの範囲を最大限として移動することができる。従って、最大補正角は、補正レンズをＯＩＳ１４０内において、半径Ｌの大きさで移動させた場合に相殺できる手ぶれの角度となる。
【００３６】
ここで、最大補正角は、焦点距離によって変わってくる。焦点距離と最大補正角との関係について図４を用いて説明する。なお、本実施の形態にかかるデジタルカメラ１００は、焦点距離と最大補正角との関係についての情報を内部メモリ２８０に格納している。
【００３７】
ズームレンズ１１０は、光軸上を広角端（Ｗ）から望遠端（Ｔ）まで移動可能である。補正レンズをＯＩＳ１４０内で同じ長さ移動させた場合を考える。この場合において、ズームレンズ１１０が広角端にある場合と望遠端にある場合とを比較すると、ズームレンズ１１０が広角端にある場合の方が最大補正角は大きくなる。このようになる理由を以下で説明する。
【００３８】
デジタルカメラ１００が同じ量の手ぶれを受けた場合に、ズームレンズ１１０が望遠寄りにある場合の方が広角寄りにある場合に比べて、画角が大きく変更されてしまう。画角が大きく変更されてしまうと、その画角のぶれを補正するためには、補正レンズをＯＩＳ１４０内において大きく移動させる必要がでてくる。要するに、補正レンズをＯＩＳ１４０内において同じ量移動させたとしても、ズームレンズ１１０が望遠寄りにある場合と比較すると、広角寄りにあった場合の方が大きな角度分のぶれを補正できる。要するに、ズームレンズ１１０が広角端にある場合の方が最大補正角は大きくなることとなる。
【００３９】
〔１−４．撮影アシスト〕
デジタルカメラ１００は、使用者により左右に高速に振られたような場合に、パン操作が早すぎる旨を液晶モニタ２７０に表示させる。デジタルカメラ１００における撮影アシスト機能について図５〜図７を用いて説明する。図５は、撮影アシスト機能を説明するためのフローチャートである。図６は、それぞれの最大補正角における閾値と連続ぶれ時間との関係を示す表である。図７は、撮影アシスト情報を示す模式図である。
【００４０】
使用者は、操作部材２５０のうちのモード選択ダイヤルを操作することにより、デジタルカメラ１００を撮影モードに設定できる（Ｓ１００）。撮影モードに設定されると、コントローラー２１０は、検出器１２０から焦点距離の情報を取得する（Ｓ１１０）。焦点距離の情報を取得すると、コントローラー２１０は、内部メモリ２８０に格納されている焦点距離と最大補正角との関係に関する情報を参照し、最大補正角に関する情報を取得する（Ｓ１２０）。
【００４１】
最大補正角に関する情報を取得すると、コントローラー２１０は、取得した最大補正角に対応付けられている閾値及び連続ぶれ時間を求める（Ｓ１３０）。ここで、デジタルカメラ１００は、使用者により閾値よりも大きい角加速度で振られている状態が連続ぶれ時間を越えた場合に、撮影アシスト情報を液晶モニタ２７０に表示させることとなる。閾値及び連続ぶれ時間について図６を用いて説明する。なお、本実施の形態にかかるデジタルカメラ１００は、図６に示すようなそれぞれの最大補正角における閾値と連続ぶれ時間との関係に関する情報を内部メモリ２８０に格納している。
【００４２】
図６に示すように、デジタルカメラ１００は、最大補正角が大きくなるに従って、角加速度が大きくならなければ撮影アシスト情報を液晶モニタ２７０に表示させない。このようにする理由について以下に説明する。デジタルカメラ１００は、焦点距離が変更されたとしてもＯＩＳ１４０内における補正レンズの可動範囲に制限を加えない。従って、デジタルカメラ１００において、最大補正角は、焦点距離によって異なるものとなる。最大補正角が異なるにも関わらず、閾値を一定値としてしまうと以下のような弊害が生じる。例えば、閾値を最大補正角が０．５°である点を基準に決定したとする。この場合に、ズームレンズ１１０が広角端にあったとすると、実際には手ぶれの影響を補正できているにも関わらず、撮影アシスト表示を液晶モニタ２７０に表示してしまう事態が生じる。一方、閾値を最大補正角が４°である点を基準に決定したとする。この場合に、ズームレンズ１１０が望遠端にあったとすると、手ぶれの影響を補正できておらず、本来的には撮影アシスト表示を液晶モニタ２７０に表示する場面であるにも関わらず、液晶モニタ２７０には撮影アシスト表示が表示されないような場合が生じてしまう。従って、デジタルカメラ１００は、閾値を焦点距離に応じて可変とすることとした。これにより、最大補正角ごとに適切な閾値を設定することができ、撮影アシスト情報を必要なときにだけ表示することができる。
【００４３】
次に、図５のフローチャートのステップＳ１４０の説明に戻る。最大補正角に対応付けられている閾値及び連続ぶれ時間を求めると（Ｓ１３０）、コントローラー２１０は、ジャイロセンサー２２０により検出される自機の角加速度が閾値よりも大きいか否かを判断する（Ｓ１４０）。
【００４４】
角加速度が閾値よりも小さいと判断すると、コントローラー２１０は、検出器１２０から再度焦点距離情報を取得する（Ｓ１１０）。
【００４５】
一方、角加速度が閾値よりも大きいと判断すると、コントローラー２１０は、自機の角加速度が閾値よりも大きくなってから連続ぶれ時間を経過したか否かを判断する（Ｓ１５０）。連続ぶれ時間を経過していないと判断すると、コントローラー２１０は、自機の角加速度が閾値を越えた状態で経過した時間の計測を開始し、再度焦点距離情報を取得する（Ｓ１１０）。一方、連続ぶれ時間を経過したと判断すると、コントローラー２１０は、液晶モニタ２７０に撮影アシスト情報を表示させる（Ｓ１６０）。例えば、使用者による右方向へのパン操作が早すぎるような場合には、コントローラー２１０は、図７に示すような警告情報（撮影アシスト情報）を液晶モニタ２７０に表示させる。
【００４６】
液晶モニタ２７０に撮影アシスト情報を表示させると、コントローラー２１０は、撮影アシスト情報を液晶モニタ２７０に表示させてから所定時間が経過したか否かを判断する（Ｓ１７０）。所定時間が経過したと判断すると、コントローラー２１０は、液晶モニタ２７０に表示させた撮影アシスト情報を消す（Ｓ１８０）。
【００４７】
このように、本実施の形態にかかるデジタルカメラ１００は、撮影アシスト情報を液晶モニタ２７０に表示させるための閾値を最大補正角によって可変とすることとした。これにより、最大補正角ごとに適切な閾値を設定することができ、撮影アシスト情報を必要なときにだけ表示することができる。
〔２．他の実施の形態〕
以上により、本発明の実施の形態として、実施の形態１を説明した。しかし、本発明は、これらには限定されない。そこで、本発明の他の実施の形態を本欄にまとめて説明する。
【００４８】
本実施の形態にかかるデジタルカメラ１００は、撮影アシスト情報の表示を消した後に、再度自機の角加速度が閾値を超えた状態で連続ぶれ時間を経過すると、撮影アシスト情報の表示が消されてからの経過時間に関係なく、再度撮影アシスト情報を表示する構成とした。しかしながら、必ずしもこのような構成とする必要はない。例えば、デジタルカメラ１００は、撮影アシスト情報の表示を消した後に、再度自機の角加速度が閾値を越えた状態で連続ぶれ時間を経過したとしても、撮影アシスト情報の表示が消されてから所定時間を経過していない場合には撮影アシスト情報を表示しない構成としてもよい。これにより、使用者がそもそも高速でデジタルカメラ１００を振って被写体の撮影を行いたいような場合に、連続して何度も撮影アシスト情報を表示するような事態を防止できる。
【００４９】
また、本実施の形態にかかるデジタルカメラ１００は、補正レンズをＯＩＳ１４０の可動範囲の最大限まで移動させた場合に低減できる使用者による手ぶれの角度を最大補正角としたが、必ずしもこのような構成とする必要はない。例えば、補正レンズをＯＩＳ１４０内で移動させることにより生じるケラレを考慮し、ケラレが生じない最大限の範囲内で補正レンズを移動させることにより低減できる使用者による手ぶれの角度を最大補正角としてもよい。これにより、デジタルカメラ１００は、使用者による手ぶれを補正してもケラレの生じていない画像を撮像できる。
【００５０】
また、実施の形態１にかかるデジタルビデオカメラ１００の光学系及び駆動系は、図１に示すものに限定されない。例えば、図１では３群構成の光学系を例示しているが、他の群構成のレンズ構成としてもよい。また、それぞれのレンズは、１つのレンズで構成してもよく、複数のレンズから構成されるレンズ群として構成してもよい。
【００５１】
また、実施の形態１では、撮像手段として、ＣＣＤイメージセンサー１８０を例示したが、本発明はこれに限定されない。例えば、ＣＭＯＳイメージセンサーで構成してもよく、ＮＭＯＳイメージセンサーで構成してもよい。
【産業上の利用可能性】
【００５２】
本発明は、デジタルスチルカメラやデジタルビデオカメラ等の撮像装置に適用可能である。
【符号の説明】
【００５３】
１００    デジタルカメラ
１１０    ズームレンズ
１２０    検出器
１３０    ズームモータ
１４０    ＯＩＳ
１５０    ＯＩＳアクチュエータ
１６０    検出器
１７０    フォーカスレンズ
１８０    ＣＣＤイメージセンサー
１９０    画像処理部
２００    メモリ
２１０    コントローラー
２２０    ジャイロセンサー
２３０    カードスロット
２４０    メモリカード
２５０    操作部材
２６０    ズームレバー
２７０    液晶モニタ
２８０    内部メモリ
【図１】
2010287926.tif 000003
【図２】
2010287926.tif 000004
【図３】
2010287926.tif 000005
【図４】
2010287926.tif 000006
【図５】
2010287926.tif 000007
【図６】
2010287926.tif 000008
【図７】
2010287926.tif 000009